(57)【要約】【課題】空気調和機のＬＥＤ等の表示において、桁信号の切替りで前桁の表示パターンが切替り後の桁で表示してしまうというＬＥＤの誤表示を防止するものである。【解決手段】空気調和機に搭載しているマイコン制御により、桁信号の出力をすべてＯＦＦにしてＬＥＤ表示をしないようにしている間に、次に表示する表示パターンを出力し、一定時間経過させてから次の桁信号の出力をすることにより、桁信号の切替りで前桁の表示パターンが切替り後の桁で表示されるという表示素子の誤点灯を防止する。【選択図】図３
2005090804.tif 000002
【特許請求の範囲】
【請求項１】
複数個の表示素子と表示を制御するマイコンを搭載し、マイコンから表示素子の任意の桁を点灯させる桁信号の出力をし、前記点灯させる桁の表示パターンの出力を各桁で順番に切替えて行い、前記桁信号の出力と前記表示パターン信号の出力との間に互いに遅延時間を設けたことを特徴とする空気調和機の表示装置。
【請求項２】
表示素子の任意の桁を点灯させる桁信号の出力時間よりも、前記点灯させる桁の表示パターンの出力時間のほうが長いことを特徴とする請求項１に記載の空気調和機の表示装置。
【請求項３】
各桁信号の出力の間に、全ての桁信号を出力しない時間を設けたことを特徴とする請求項１に記載の空気調和機の表示装置。
【請求項４】
表示素子は７セグメントＬＥＤまたは単体ＬＥＤの少なくとも一方を使用したことを特徴とする請求項１に記載の空気調和機の表示装置。
【請求項５】
複数個の表示素子は、室温を表示する複数桁の７セグメントＬＥＤと、運転状態を表示する複数個のＬＥＤで形成され、各々のＬＥＤは室内ユニットの前面に設けられたこと特徴とする請求項１に記載の空気調和機の表示装置。
【発明の詳細な説明】
【技術分野】
【０００１】
本発明は、ＬＥＤ等の表示素子を搭載した、空気調和機の表示装置に関するものである。
【背景技術】
【０００２】
従来、表示素子を駆動するための桁信号出力を切替えるタイミングと表示パターン出力を切替えるタイミングは同じであった。（例えば特許文献１参照）
図５は特許文献1の図６から抜粋した従来のＬＥＤ表示の制御を示すタイミングチャートである。ただし信号の極性は本発明と逆になっている。
【０００３】
時刻ｔ０１で桁信号Ｐ１０をオンすると共に、桁信号Ｐ１０に対応した表示パターンのセグメント信号をポートＰ３０からＰ３２に出力し、順次時刻Ｐ０３で桁信号Ｐ１１、時刻Ｐ０５で桁信号Ｐ１２をオンし、同時に表示パターンを出力するようになっている。
【特許文献１】特開平１１−８５３６８号公報
【発明の開示】
【発明が解決しようとする課題】
【０００４】
しかしながら前記従来の方法では、桁信号を切替えた時に、切替え前の表示パターンで表示素子を点灯してしまう可能性が有るという課題を有していた。
【０００５】
本発明は、空気調和機の表示装置において、このような従来の課題を解決するものであり、桁信号を切替えた時に、切替え前の表示パターンで表示素子が点灯してしまうという誤点灯を防止することを目的とする。
【課題を解決するための手段】
【０００６】
前記従来の課題を解決するために本発明は、空気調和機に搭載したマイコン制御により表示素子を切替えるタイミングにおいて、まず桁信号出力をすべてＯＦＦにして、何も表示しないようにする。それから一定時間経過してから次に表示する表示パターンを出力する。さらにそれから一定時間経過してから、次の桁信号の出力を行うものである。
【０００７】
上記のように、桁信号の出力をすべてＯＦＦしてＬＥＤ表示をしないようにしている間に、次に表示する表示パターンを出力し、一定時間経過させてから次の桁信号を出力することにより、桁信号の切替りで前桁の表示パターンが切替り後の桁で表示してしまうというＬＥＤの誤点灯を防止することができる。
【発明の効果】
【０００８】
以上のように本発明の空気調和機の表示装置によれば、マイコンからＬＥＤ等の表示素子の任意の桁を点灯させる桁信号の出力を行い、前記点灯した桁の表示パターンの出力を、前記各桁で順番に切替えて行い、前記桁信号の出力と前記表示パターン信号の出力との間に互いに遅延時間を設けることにより、桁信号の切替りで前桁の表示パターンが切替り後の桁で表示されるというＬＥＤの誤点灯を防止することができる。
【発明を実施するための最良の形態】
【０００９】
以下本発明の実施の形態について図面を参照して説明する。
【００１０】
（実施の形態１）
図１は、本発明の実施の形態１における空気調和機の表示装置を使用した室内機の外観
を表した図であり、室温を示すための７セグメントＬＥＤ（１Ａ）と、運転状態を示すためのＬＥＤ（１Ｂ）を搭載している。
【００１１】
図２は、本発明の実施の形態１における空気調和機の表示装置のマイコンからの桁信号出力および表示パターン信号出力の構成を示した図であり、７セグメントＬＥＤは２桁、運転状態を示すためのＬＥＤは最大７個までとしてこれを１桁とする。
【００１２】
図２においてＰ２０〜Ｐ２２が桁信号出力ポートであり、Ｐ１０〜Ｐ１６が表示パターン信号出力ポートである。２ＡのＰ１０〜Ｐ１６にはそれぞれ７セグメントＬＥＤ下位の各セグメントに割り当てている。なお、各セグメントの名称はｃ，ｄ，ｆ，ｂ，ｇ，ｅ，ａとする。同様に、２ＢのＰ１０〜Ｐ１６はそれぞれ７セグメントＬＥＤ上位の各セグメントに割り当てている。前記と同様に各セグメントの名称はｃ，ｄ，ｆ，ｂ，ｇ，ｅ，ａとする。２ＣのＰ１０〜Ｐ１６は各ＬＥＤに割り当ててあり、桁信号出力と表示パターン信号出力が重なったところのＬＥＤが点灯するしくみになっている。
【００１３】
図３は、本発明の実施の形態１におけるＬＥＤ制御のタイミングチャートである。各桁信号の出力がＨＩになっている区間が実際にＬＥＤが点灯している区間である。
【００１４】
図３においてＬＥＤ桁信号出力ＯＦＦ（３Ａ）後、一定の時間（Ｔａ）経過した時に、次に表示する表示パターン（７セグメント上位データ）を出力し、その後一定時間（Ｔｂ）経過した時に、７セグメント上位桁信号を出力する。これによりＬＥＤ桁のＬＥＤ表示の次には、７セグメント上位桁のＬＥＤが確実に表示される。同様にして、７セグメント上位桁のＬＥＤ表示の次には７セグメント下位桁のＬＥＤ表示を行い、７セグメント下位桁のＬＥＤ表示の次にはＬＥＤ桁のＬＥＤ表示を行うという処理を一定期間例えば４ｍｓ毎に繰り返す。
【００１５】
図４は、本発明の実施の形態１におけるＬＥＤ表示制御のフローチャートである。
【００１６】
図４においてまずＰ２０〜Ｐ２２の桁信号出力をＯＦＦにして（ステップ４０）、Ｔａ時間経過を判断（ステップ４１）し、Ｔａ時間経過すればカウンタ値を見て（ステップ４２、ステップ４４、ステップ４６）、カウンタが０であればＬＥＤ出力パターンデータを作成（ステップ４３）し、カウンタが１であれば７セグメント上位出力パターンデータを作成（ステップ４５）し、カウンタが０または１以外なら７セグメント下位出力パターンデータを作成（ステップ４６）し、Ｐ１０〜Ｐ１６へ前記で作成した表示パターンの出力を行う（ステップ４７）。その後Ｔｂ時間経過を判断（ステップ４８）し、Ｔｂ時間経過すればカウンタ値を見て（ステップ４９、ステップ５１、ステップ５３）、カウンタが０であればＬＥＤ桁信号（Ｐ２０）の出力を行い（ステップ５０）、カウンタが１であれば７セグメント上位桁信号（Ｐ２１）の出力を行い（ステップ５２）、カウンタが０または１以外なら７セグメント下位桁信号（Ｐ２２）の出力を行う。その後、カウンタをカウントアップし（ステップ５４）、カウンタの値が３以上になれば（ステップ５５）、カウンタ値をクリア（ステップ５６）する。
【００１７】
以上のような表示制御を行うことによって、ＬＥＤ表示を切替えるタイミングにおいて、各桁信号の出力と表示パターン信号の出力との間に互いに遅延時間を設けることにより、各信号のタイミングのずれによって切替え前の表示パターンを表示してしまうと言う誤点灯を防止することができる。
【００１８】
また桁信号の出力時間よりも表示パターンの出力時間を長く設定することにより、実際に表示するかどうかを信号間のタイミングばらつきの影響を受けることなく、桁信号のタイミングのみで切替えることができる。
【００１９】
さらに各桁信号の間に全ての桁信号を出力しない時間を設けて、全桁信号がＯＦＦで何も表示しない間に次の表示パターンを出力することにより、表示パターン切替えの過渡状態を表示することを防止できる。
【００２０】
尚、本実施の形態において、表示素子として７セグメントＬＥＤと単体ＬＥＤ
を使用して説明したが、蛍光表示管や液晶等の他方式の表示素子でも実際の駆動信号の細部は異なるが適用できる。また７セグメント表示素子での表示内容を室温としたが、外気温，湿度，エラーコード，時間等の数字と記号で表示される内容なら何でも構わない。
【産業上の利用可能性】
【００２１】
以上のように本発明の空気調和機の表示装置は、桁信号を切替えた時に切換え前の表示パターンを誤点灯してしまうことを防止できるので、時間的に表示内容が変化する温度，湿度，時刻等の情報を表示する家電製品等の電子機器全般の表示装置にも適用できる。
【図面の簡単な説明】
【００２２】
【図１】本発明の実施の形態１における空気調和機の室内機の構成図
【図２】本発明の実施の形態１におけるＬＥＤ制御構成を示すブロック図
【図３】本発明の実施の形態１におけるＬＥＤ制御を示すタイミングチャート
【図４】本発明の実施の形態１におけるＬＥＤ制御を示すフローチャート
【図５】従来のＬＥＤ制御を示すタイミングチャート
【符号の説明】
【００２３】
１Ａ  ７セグメントＬＥＤ（表示素子）
１Ｂ  ＬＥＤ（表示素子）
２Ａ  ７セグメントＬＥＤの下位割り当て
２Ｂ  ７セグメントＬＥＤの上位割り当て
２Ｃ  ＬＥＤ割り当て
３Ａ  ＬＥＤの桁信号出力ＯＦＦ点
Ｔａ、Ｔｂ  一定時間    
【図１】
2005090804.tif 000003
【図２】
2005090804.tif 000004
【図３】
2005090804.tif 000005
【図４】
2005090804.tif 000006
【図５】
2005090804.tif 000007